(57)【特許請求の範囲】
【請求項１】
定着した金属製係止装置（１３６）を有するケーブルタイ（１００）において、
第一の端部及び自由端部を含むストラップ（１０４）と、
ストラップ（１０４）の第一の端部に固着された係止ヘッド（１０２）であって、ストラップの入口端部（１６８）及びストラップの出口端部（１６６）を有するストラップ挿入通路（１２２）を該ヘッド（１０２）に画成し、係止ヘッド（１０２）のストラップの出口端部（１６６）に隣接し且つ該出口端部（１６６）に向けて開口した金属製係止装置（１３６）の挿入キャビティ（１８０）を更に含む前記係止ヘッド（１０２）と、
金属製係止装置（１３６）の挿入キャビティ（１８０）を通じて取り付けスロット（１３０）内に取り付けられた金属製係止装置（１３６）であって、取り付けスロット（１３０）が内側支持面（１６２）及び外側支持面（１６４）を有し、ストラップ挿入通路（１２２）内に配置された自由端部（１３８）と、金属製係止装置（１３６）の面から外方に突き出すように曲げられた少なくとも１つの曲がったタング（１３２）を有する固定端部（１３４）とを備える前記金属製係止装置（１３６）とを備え、
少なくとも１つの曲がったタング（１３２）を有する固定端部（１３４）が取り付けスロット（１３０）内に挿入可能であり、該挿入時、取り付けスロット（１３０）の内側支持面（１６２）が、少なくとも１つの曲がったタング（１３２）を外側支持面（１６４）に対し弾性的に押し付けて、前記少なくとも１つの曲がったタング（１３２）を前記外側支持面（１６４）の中に喰込ませて、それにより金属製係止装置（１３６）を前記取り付けスロット（１３０）内に定着し且つ金属製係止装置（１３６）がストラップ挿入通路（１２２）の出口端部（１６６）に向けた方向に引出されるのに抵抗するようにした、ケーブルタイ。
【請求項２】
請求項１のケーブルタイにおいて、挿入キャビティがストラップ挿入通路に対向する壁に逃がし部（１８２）を有する、ケーブルタイ。
【請求項３】
請求項２のケーブルタイにおいて、逃がし部が、金属製係止装置を挿入キャビティを通じて挿入する間、該壁と少なくとも１つの曲がったタングとの間の干渉を最小にし得るように少なくとも１つの曲がったタングを受け入れる、ケーブルタイ。
【請求項４】
請求項１のケーブルタイにおいて、金属製係止装置の固定端部がある幅を有し且つ金属製係止装置の２つの幅方向端縁の各々に１つずつ設けられた２つの曲がったタングを有する、ケーブルタイ。
【請求項５】
請求項１のケーブルタイにおいて、金属製係止装置の固定端部がある幅を有し且つ該幅に沿った実質的に中間に設けられた単一の曲がったタングを有する、ケーブルタイ。
【請求項６】
請求項１のケーブルタイにおいて、少なくとも１つの曲がったタングが外側支持面に向けて角度が付けられる、ケーブルタイ。
【請求項７】
請求項１のケーブルタイにおいて、金属製係止装置の自由端部が固定端部に対して角度が付けられる、ケーブルタイ。
【請求項８】
請求項７のケーブルタイにおいて、金属製係止装置の取り付けスロット及び固定端部がストラップ挿入通路に対し実質的に平行に伸びる、ケーブルタイ。
【請求項９】
請求項１のケーブルタイにおいて、取り付けスロットが、内側及び外側支持面の一方に設けられた棚状突起（１５４）を備え、該棚状突起が、金属製係止装置の少なくとも１つの曲がったタング及び固定端部を前記取り付けスロット内に更に定着するストッパを形成する、ケーブルタイ。
【請求項１０】
定着した金属製係止装置（１３６）を有するケーブルタイ（１００）において、
第一の端部及び自由端部を含むストラップ（１０４）と、
ストラップ（１０４）の第一の端部に固着された係止ヘッド（１０２）であって、ストラップの入口端部（１６８）及びストラップの出口端部（１６６）を有するストラップ挿入通路（１２２）を該ヘッド（１０２）に画成し、係止ヘッド（１０２）のストラップの出口端部（１６６）に隣接し且つ該出口端部（１６６）に向けて開口した金属製係止装置（１３６）の挿入キャビティ（１８０）を更に含み、また、内側支持面（１６２）と、外側支持面（１６４）と、入口スロット（１５２）とを有する取り付けスロット（１６０）を更に含み、該入口スロット（１５２）が該取り付けスロット（１６０）を金属製係止装置の挿入キャビティ（１８０）と連通させる、前記係止ヘッド（１０２）と、
金属製係止装置の挿入キャビティ（１８０）を通じて前記取り付けスロット（１６０）内に取り付けられた金属製係止装置（１３６）であって、ストラップ挿入通路内（１２２）に配置された自由端部（１３８）と、金属製係止装置（１３６）の面から外方に突き出すように曲げられた少なくとも１つの曲がったタング（１３２）を有する固定端部（１３４）とを有する前記金属製係止装置（１３６）とを備え、
少なくとも１つの曲がったタング（１３２）を有する固定端部（１３４）が、前記入口スロット（１５２）を通じて前記取り付けスロット（１６０）内に挿入可能であり、該挿入時、取り付けスロット（１６０）の内側支持面（１６２）が、少なくとも１つの曲がったタング（１３２）を外側支持面（１６４）に弾性的に押し付けて、前記少なくとも１つの曲がったタング（１３２）を前記外側支持面（１６４）の中に喰込ませて、それにより金属製係止装置（１３６）を前記取り付けスロット（１６０）内に定着させ且つ金属製係止装置（１３６）がストラップ挿入通路（１２２）の出口端部（１６６）に向けた方向に引出されるのに抵抗するようにした、ケーブルタイ。
【請求項１１】
請求項１０のケーブルタイにおいて、挿入キャビティがストラップ挿入通路に対向する壁に逃がし部（１８２）を有する、ケーブルタイ。
【請求項１２】
請求項１１のケーブルタイにおいて、逃がし部が、金属製係止装置を挿入キャビティを通じて挿入する間、該壁と少なくとも１つの曲がったタングとの間の干渉を最小にし得るように少なくとも１つの曲がったタングを受け入れる、ケーブルタイ。
【請求項１３】
請求項１０のケーブルタイにおいて、金属製係止装置の固定端部がある幅を有し且つ金属製係止装置の２つの幅方向端縁の各々に１つずつ設けられた２つの曲がったタングを有する、ケーブルタイ。
【請求項１４】
請求項１０のケーブルタイにおいて、金属製係止装置の固定端部がある幅を有し且つ該幅に沿った実質的に中間に設けられた単一の曲がった端縁を備える、ケーブルタイ。
【請求項１５】
請求項１０のケーブルタイにおいて、少なくとも１つの曲がったタングが外側支持面に向けて角度が付けられる、ケーブルタイ。
【請求項１６】
請求項１０のケーブルタイにおいて、金属製係止装置の自由端部が固定端部に対し角度が付けられる、ケーブルタイ。
【請求項１７】
請求項１６のケーブルタイにおいて、取り付けスロット及び金属製係止装置の固定端部がストラップ挿入通路に対し実質的に平行に伸びる、ケーブルタイ。
【請求項１８】
請求項１０のケーブルタイにおいて、取り付けスロットが内側及び外側支持面の一方に設けられた棚状突起（１５４）を備え、該棚状突起が、金属製係止装置の少なくとも１つの曲がったタング及び固定端部を前記入口スロット内に更に定着するストッパを形成する、ケーブルタイ。
【請求項１９】
強化した定着システムを有するケーブルタイ（１００）の製造方法において、
第一の端部及び自由端部を含むストラップ（１０４）と、ストラップ（１０４）の第一の端部に固着された係止ヘッド（１０２）であって、ストラップの入口端部（１６８）及びストラップの出口端部（１６６）を有するストラップ挿入通路（１２２）を該ヘッド（１０２）に画成し、係止ヘッド（１０２）のストラップの出口端部（１６６）に隣接し且つ該出口端部（１６６）に向けて開口した金属製係止装置の挿入キャビティ（１８０）を更に含み、また、内側支持面（１６２）と、外側支持面（１６４）と、入口スロット（１５２）とを有する取り付けスロット（１６０）を更に含む前記係止ヘッド（１０２）を有するケーブルタイ（１００）を形成するステップと、
金属製係止装置の面から外方に突き出すように曲げられた少なくとも１つの曲がったタング（１３２）を有する固定端部（１３４）と自由端部（１３８）とを有する金属製係止装置（１３６）を形成するステップと、
固定端部（１３４）が内側支持面（１６２）に押し付けられる迄、固定端部（１３４）を前記取り付けスロット（１６０）内に挿入することにより、金属製係止装置（１３６）を最初に金属製係止装置の挿入キャビティ（１８０）を通じて取り付けるステップと、
少なくとも１つの曲がったタング（１３２）が取り付けスロット（１６０）内に実質的に受け入れられ、その時点にて、内側支持面（１６２）が少なくとも１つの曲がったタング（１３２）を外側支持面（１６４）に押し付けて、前記少なくとも１つの曲がったタング（１３２）を前記外側支持面（１６４）の中に喰込ませて、それにより金属製係止装置（１３６）を取り付けスロット（１６０）に定着させる迄、金属製係止装置（１３６）を取り付けスロット内（１６０）に更に挿入し且つ内側支持面（１６２）が弾性的に変形されるようにするステップとを備える、製造方法。
【請求項２０】
請求項１９の方法において、少なくとも１つの曲がったタングが金属製係止装置のポンチのプレス作用により形成される、方法。
【請求項２１】
請求項２０の方法において、ポンチのプレス作用が金属製係止装置に３側部の切込み部を形成して単一の曲がったタングを形成する、方法。
【請求項２２】
請求項２０の方法において、ポンチのプレス作用が固定端部の側端縁から外方に伸びる２つの曲がったタブを形成する、方法。
【請求項２３】
請求項２２の方法において、ポンチのプレス作用が、金属製係止装置の面に対して直角の角度のプレスラムによる１回の打撃作用により実現される、方法。
【請求項２４】
請求項１９の方法において、挿入キャビティを形成するステップが、少なくとも１つの曲がったタングを受け入れると共に、金属製係止装置を挿入する間の干渉を最小にし得る寸法とされた逃がし部（１８２）を有する挿入キャビティの壁を形成する、方法。
【請求項２５】
請求項１９の方法において、金属製係止装置の自由端部を固定端部に対し角度が付けられるように曲げるステップを更に備える、方法。
【請求項２６】
請求項１９の方法において、ケーブルタイヘッドを形成するステップが、ストラップ挿入通路及び取り付けスロットを実質的に平行となるように形成する、方法。
【発明の詳細な説明】
【０００１】
【発明の属する技術分野】
本発明は、全体として、低挿入力の２部分型ケーブルタイに関する。より具体的には、本発明は、定着装置として機能する一体的な突き出しタングを有する上記のケーブルタイ用の係止装置に関する。
【０００２】
【従来の技術】
金属製係止装置の挿入体を有するプラスチックケーブルタイが当該技術分野にて周知である。その例は、マリアニの米国特許第３，４５７，５９８号、及びバーナード等の米国特許第５，５１７，７２７号を含む。
【０００３】
この型式のケーブルタイは、ケーブルタイヘッドのストラップ挿入通路内にある角度にて部分的に固着された金属製係止装置を有している。金属製係止装置は、ケーブルタイストラップを挿入方向に向けて挿入することを許容するが、取り外し方向に引張ったとき、係止装置がストラップと係合して外れるのを防止することを許容する角度に配置される。かかるケーブルタイの金属製係止装置は、一端部にて固定され且つ自由端部にてストラップ挿入通路内に伸びる片持ち梁の形態をしている。かかるケーブルタイの作用について、その内容の全体を参考として引用し本明細書に含めた同時出願係属中の米国特許出願第（弁護士事件番号ＬＣＢ３３７号）によるケーブルタイ装置の作用を示す、図１乃至図３に関して説明する。
【０００４】
図１のケーブルタイ１００は、ケーブルタイヘッド１０２と一体のストラップ１０４（一部分を図示）を有している。ケーブルタイヘッド１０２には、係止装置の挿入キャビティ１８０と、ストラップ入口１６８及びストラップ出口１６６を有するストラップ挿入通路１２２とが形成されている。ストラップ挿入通路１２２はストラップ１０４の前端部１１２を受け入れる。係止装置の挿入キャビティ１８０は、ステンレス鋼のような耐食性金属で出来た予め形成した金属製係止装置１３６を受け入れる。
【０００５】
金属製係止装置１３６をケーブルタイヘッド１０２の取り付けスロット１３０内に部分的に固着するため端部壁における定着領域へのアクセスを許容すべく係止装置の挿入キャビティ１８０が設けられている。取り付けスロット１３０は、キャビティ１８０の内面に予め形成し、又は、係止装置１３６の一端部１３４をケーブルヘッド１０２の内面に押し込む結果として部分的に形成することができる。このことは、固定端部１３４と、ストラップの挿入キャビティ１２２内に伸びる自由端部１３８とを有する片持ち状の梁構造体を画成する。また、金属製係止装置の挿入キャビティ１８０は係止装置１３６が移動することも許容する。
【０００６】
図１に図示するように、ストラップ端部１１２をストラップ挿入通路内に挿入したとき、金属製係止装置１３６の自由端部は金属の弾性及び装置の角度により自由に撓んで低挿入力を提供する。図示しないケーブル束のような拘束すべき物品の周りでストラップ１０４が十分な緊張状態となる迄、ケーブルタイストラップの挿入を続ける。ストラップを解放したとき又はストラップに引出し力を加えることにより、力は金属製係止装置１３６の自由端部１３８を撓ませ且つ自由端部１３８の鋭角な部分が図２に図示するようにストラップ１０４を突刺し始めるようにする。自由端部１３８が支点１４２上に十分に休止したとき、材料の選択及びその他の変動要素に依存して予め設定可能な引張り強度値まで更なる引出しに対する抵抗力が実現される。
【０００７】
【発明が解決しようとする課題】
かかるケーブルタイは１回の係止操作（すなわち、１回の締め付け操作）には十分である。しかし、ケーブルタイストラップ１０４を最初に締め付け又は引出そうとした後、ケーブルタイを更に確実に固着するため、その後に締め付け又は再締め付けする動作が始められることが時々生じる。金属製係止装置１３６の自由端部１３８は、既にストラップ１０４の表面に部分的に貫入しているから、ストラップを出口１６６の方向に前進させるべくこれらの更なる再挿入を試みる間、自由端部が破断してストラップ１０４から分離しないことがあり得る。係止装置１３６は、ストラップ１０４の面内に部分的に固着されたままである。かかる場合、自由端部１３８を破断させてストラップ１０４から分離させるのに必要な引出し力よりも固定端部１３４の保持力の方が小さいならば、固定端部１３４がスロット１３０から引出される可能性がある。このことは、望ましくなく且つその結果、ケーブルタイが図３に図示するように破損し、この場合、金属製係止装置１、３６がスロット１３０から完全に外れ又は十分に引出されて適正なケーブルタイの機能に悪影響を与えることになる。この例において、外れに抵抗すべく固定端部１３４に作用する保持力は固定端部１３４とスロット１３０との間の摩擦力である。この保持力は不十分であり、この例におけるように、固定端部が出口１６６に向けてストラップ１０４に作用する再挿入力に対し実質的に平行に方向決めされている場合、特に問題となる。
【０００８】
金属製係止装置に対する改良されたアンカー保持システムを有する２部分型ケーブルタイが必要とされている。
また、アンカーとして機能するようにケーブルタイの金属製係止装置上に顎付きタングを容易に形成する方法も必要とされている。
【０００９】
【課題を解決するための手段】
本発明の１つの目的は、最初の及びその後の再挿入の間、外れに抵抗し得るよう改良された定着力を有する係止装置を備える２部分型ケーブルタイを提供することである。
【００１０】
本発明の１つの目的は、ケーブルタイの金属製係止装置に顎付きタングを形成する方法を提供することである。
更に、本発明の１つの目的は、取り付けが容易な方向に傾斜路を形成するが、装置を引出そうとする試みに対する抵抗力を提供し得るように金属製係止装置上に１つ又はより多数のタングをプレス成形することである。
【００１１】
定着した金属製係止装置を有するケーブルタイであって、第一の端部及び自由端部を含むストラップと、ストラップの第一の端部に固着された係止ヘッドであって、ストラップの入口端部及びストラップの出口端部を有するストラップ挿入通路をヘッドに画成し、係止ヘッドのストラップの出口端部に隣接し且つ該出口端部に向けて開口した金属製係止装置の挿入キャビティを更に含み、また、内側支持壁と、外側支持壁と、支持スロットとを有する取り付けスロットを更に含み、該支持スロットが取り付けスロットを挿入キャビティと連通させる、上記係止ヘッドと、金属製係止装置の挿入キャビティを通じて支持キャビティ内に取り付けられた金属製係止装置であって、ストラップ挿入通路内に配置された自由端部と、金属製係止装置の面から外方に突き出す少なくとも１つの曲がったタングを有する固定端部とを備える上記金属製係止装置とを備えるケーブルタイにより上記及びその他の目的が実現される。少なくとも１つの曲がったタングを有する固定端部が支持スロット内に挿入可能である。かかる挿入時、取り付けスロットの内側支持面は、外側支持面に対して少なくとも１つの曲がったタングの少なくとも１つの突き出す端縁を弾性的に押し付けて金属製係止装置を取り付けスロット内に定着し且つストラップ挿入通路の出口端部に向けた方向に金属製係止装置が引出されることに抵抗する。
【００１２】
本発明はまた、第一の端部及び自由端部を含むストラップと、ストラップの第一の端部に固着された係止ヘッドとを有するケーブルタイであって、係止ヘッドがストラップの入口端部及びストラップの出口端部を有するストラップ挿入通路をヘッドに画成し、係止ヘッドが係止ヘッドの出口端部に隣接し且つ該出口端部に向けて開口した金属製係止装置の挿入キャビティを更に含み、係止ヘッドが、内側支持壁と、外側支持壁と、支持スロットとを有する取り付けスロットを更に含み、該支持スロットが取り付けスロットを挿入キャビティと連通させる、上記ケーブルタイを成形するステップと、少なくとも１つの曲がったタングを有する固定端部及び自由端部を有する金属製係止装置を形成するステップと、固定端部が内側支持壁に対して押し付けられる迄、固定端部を支持スロットを通じて挿入することにより、金属製係止装置を金属製係止装置の挿入キャビティを通じて取り付けスロット内に最初に取り付けるステップと、金属製係止装置を取り付けスロット内に更に挿入するステップと、少なくとも１つの曲がったタングが取り付けスロット内に実質的に受け入れられる迄、内側支持面を弾性的に変形させ、その時点にて、内側支持面が少なくとも１つの曲がったタングの少なくとも端縁を外側支持面に対して押し付けて金属製係止装置を取り付けスロットに確実に固着するステップとを備える、改良された定着システムを有するケーブルタイを製造する方法をも提供する。
【００１３】
【発明の実施の形態】
図４乃至図１５を参照しつつ、第一の実施の形態による、強固に定着された金属製係止装置を有する本発明のケーブルタイ１００について説明する。図４及び図５に最も良く図示するように、ケーブルタイ１００は、係止ヘッド１０２と、ストラップ１０４とを有している。ケーブルタイ１００は当該技術分野で既知の色々な材料から製造することができる。適宜な材料は、一例として、ナイロン、ポリプロピレン及び色々なフルオロポリマーを含む。ケーブルタイ１００は、当該技術分野にて同様に既知であるように、特定の適用例に合うように色々な寸法及び長さにて形成することができる。勿論、ストラップ、係止ヘッド及びその他の構成部品の寸法を選ぶとき、所望の曲げ引張り強度が決定するための１つのファクタとなる。
【００１４】
ケーブルタイ１００は、ストラップの取り付け軸Ｓに対し平行なストラップ挿入通路１２２を有する係止ヘッド１０２と、ストラップの取り付け軸Ｓから約９０°にて曲げられたストラップとを有するものとして図示されているが、ケーブルタイ１００は、かかる形態にのみ限定されず、その他の形態をとることが可能である。例えば、ケーブルタイ１００は、軸Ｓに沿って実質的に伸びる状態を保つ直線状のストラップを備えることができる。更に、ケーブルタイ１００は、ストラップの取り付け軸Ｓに対し直角なストラップ挿入通路を有する、バーナードの米国特許第５，５１７，７２７号に図示するような、より従来的な直角の係止ヘッドを備えることができる。
【００１５】
ケーブルタイヘッド１０２のストラップ挿入通路１２２は、使用中、ストラップ１０４の前端部１１２を受け入れる。ストラップ挿入通路１２２は、ストラップ１０４が最初に挿入されるストラップの入口端部１６８と、ストラップの出口端部１６６とを備えている。前端部１１２はテーパー付きであることが好ましい。ストラップ１０４には、内面における長手方向に伸びる中央溝１１０と、外面における長手方向に伸びる中央スロット（図示せず）とを設けることができる。中央溝１１０は、図４及び図５に最も良く図示するように、Ｖ字形溝１２０を提供する等により拡張した幅を形成し得るよう係止ヘッド１０２に隣接してストラップの端部にテーパーを付けることができる。
【００１６】
図６乃至図８により明確に図示するように、係止ヘッド１０２はまた、係止装置の挿入キャビティ１８０も備えている。係止装置の挿入キャビティ１８０は、固定端部１３４と、ストラップの挿入キャビティ１２２内に伸びる自由端部１３８とを有する片持ち状梁構造体を画成し得るように係止ヘッド１０２の取り付けスロット１３０内に金属製係止装置１３６を部分的に固着すべく金属製係止装置１３６に対する定着領域へのアクセスを可能にする。また、金属製係止装置の挿入キャビティ１８０は、係止装置１３６が移動することをも許容し、逃がし部分１８２（凹状壁）と、突き出す壁部分１８４とを有している。逃がし部１８２は、取り付けスロット１３０に隣接して挿入キャビティ１８０の下方部分で端部壁１２４に形成されている。取り付けスロット１３０は、外側支持面１６４と、内側支持面１６２とを更に備えている。
【００１７】
金属製係止装置１３６は、当該技術分野で既知のステンレス鋼のような耐食性金属で製造することが好ましい。金属製係止装置１３６は従来の直線状の形態をとることができるが、自由端部１３８が固定端部１３４に対して所定の角度となるように曲げ又は形成することが好ましい。また、固定端部１３４がストラップ挿入通路１２２の軸に対し実質的に平行であるようにすることも好ましい。このことは、係止装置１３６をキャビティ１８０内に一層容易に挿入することを許容する。このことはまた、より低プロフィールのケーブルタイヘッドとすることをも許容する。何れの場合でも、自由端部１３８は、ストラップの出口端部１６６の方を向いたストラップ挿入通路１２２の軸に対し鋭角な角度にてストラップ挿入通路１２２内に伸びている。更に、本発明によれば、固定端部１３４の面から外方に突き出し且つ係止装置を係止ヘッド１０２の支持キャビティ１３０内に定着させる機能を果たす１つ又はより多数の曲がった突き出しタング１３２が設けられている。
【００１８】
金属製係止装置１３６の第一の好ましい実施の形態が図１０乃至図１３に図示されており、該金属製係止装置は、固定端部１３４の外端面上に形成され且つ外方に角度が付けられることが好ましい２つの曲がったタング１３２を有している。金属製係止装置の別の実施の形態が図１４及び図１５に図示されており、該金属製係止装置は、係止装置１３６の中間面から突き出す単一の曲がったタング１３２を有している。
【００１９】
図７及び図８を再度参照すると、金属製係止装置１３６は、挿入キャビティ１８０を通じて取り付けられ且つ取り付けスロット１３０内に部分的に挿入された状態で図示されている。図９には、完全に挿入した金属製係止装置１３６が図示されている。図８に最も良く図示するように、金属製係止装置１３６を取り付けたとき、逃がし部１８２は、金属製係止装置１３６が取り付けスロット１３０内に十分に挿入される迄、係止装置の挿入キャビティの壁と干渉せずに係止装置を挿入することを許容する。このことは、取り付ける間、金属製係止装置を直線状に保つことになる。部分的に挿入するとき、固定端部１３４は取り付けスロット１３０の入口を通じて貫入する一方、少なくとも１つの曲がった突き出しタング１３２は依然として挿入キャビティ１８０内に配置されている。すなわち、曲がったタング１３２は、挿入を妨げずに、金属製係止装置を整合させ得るように逃がし部１８２に受け入れられる。更に挿入したとき、少なくとも１つの曲がったタング１３２は図示するように取り付けスロット１３０への入口を通じて押し込まれ、内側支持面１６２は変位する（すなわち、図８に図示するように右方向に押される）。十分に挿入した後、曲がったタング１３２は、図９に図示するように、実質的に取り付けスロット１３０の内部に入った状態、好ましくは、完全に入った状態となる。この形態のため、２つの要素は、金属製係止装置を取り付けスロット１３０内に確実に保持するのに役立つ。第一に、押し込まれた内側支持面１６２は係止装置１３６を外側支持面１６４に向けて偏倚させる作用を果たす。すなわち、内側支持面１６２は、その当初の位置に戻ろうとして弾性的に弛緩する。更に、曲がったタング１３２の形状は外方に突き出すギザギザ端縁のため、かなり小さい挿入抵抗力を許容する一方、タング１３２は内側支持面１６２からの偏倚作用のため外側支持面１６４に食い込む傾向となる。図２及び図９に図示するように、ストラップの自由端部を方向Ｐに向けて外す傾向の力は、曲がったタング１３２の鋭角なギザギザ端縁を外側支持面１６４に対し更に押し付け、この構造体により提供される定着力を効果的に増す作用を果たす。図９に図示するように、金属製係止装置をスロット１３０から方向Ｔに向けて外す作用を果たす力は、タング１３２が外側支持面１６４に対して喰込み係合することによる抵抗を受ける。
【００２０】
図７乃至図９を再度参照すると、一度び完全に挿入されたならば、片持ち型金属製係止装置１３６は、ケーブルヘッド１０２の内壁の上端縁１４２により画成された支点にて支持される。金属製係止装置１３６は、支点から自由端部１３８まで画成された自由長さを有し、この自由長さは、ストラップ挿入通路１２２を通じて挿入されるストラップに十分に係合し且つストラップが通路から引出されるのを防止する距離だけ自由端部１３８が通路１２２内に伸びるのを許容する。
【００２１】
本発明の第二の実施の形態について図１６乃至図２３を参照して説明する。図１６乃至図１８に一層明確に図示するように、ケーブルタイヘッド１０２は、第一の実施の形態と同様に係止装置の挿入キャビティ１８０を備えている。係止装置の挿入キャビティ１８０は、金属製係止装置１３６を受け入れ、また、このキャビティは、金属製係止装置１３６をケーブルタイヘッド１０２の取り付けスロット１６０内に部分的に固着することを許容すべく設けられている。第一の実施の形態と同様に、金属製係止装置の挿入キャビティ１８０は、係止装置１３６が動くことをも許容し、また、該キャビティは、逃がし部分１８２（凹状壁）と、突き出す壁部分１８４とを有している。
【００２２】
第一の実施の形態の係止装置の場合と同様に、この第二の実施の形態の金属製係止装置１３６には、固定端部１３４の面から外方に突き出す１つ又はより多数の曲がった突き出しタング１３２を設けることができる。これらの曲がったタングは、図１０乃至図１５に図示した一例としての曲がったタングと同一のものとすることができる。このように、この第二の実施の形態は、図１４及び図１５に図示するように、金属製係止装置１３６を有するものとして図示し且つ説明したが、第一又は第二の実施の形態の何れも図示した係止装置にのみ限定されるものではないことを認識すべきである。
【００２３】
図１７に図示するように、取り付けスロット１６０の内壁に配置された壁部分１５０に入口スロット１５２が形成されている。入口スロット１５２は係止装置１３６よりも薄いことが好ましい。第一の実施の形態の場合と同様に、取り付けスロット１６０はまた、外側支持面１６４と、内側支持面１６２とを更に有している。しかし、第二の実施の形態において、スロット１６０は予め形成され且つ入口１５２と外面１６４との間の壁部分１５０の下側部に受け入れ棚状突起１５４を画成し得るように入口スロット１５２の幅よりも更に隔てられた内側及び外側支持壁を備える設計とされている。図２３に最も良く図示するように、取り付けスロット１６０はケーブルタイヘッド１０２の外側まで伸びる開口部を含むことができる。
【００２４】
図１７及び図１８を再度参照すると、金属製係止装置１３６は、挿入キャビティ１８０を通じて取り付けられ且つ取り付けスロット１６０内に部分的に挿入された状態で図示されている。図１９乃至図２０には、完全に挿入した金属製係止装置１３６が図示されている。図１８に最も良く図示するように、金属製係止装置１３６を取り付けるとき、逃がし部１８２は、金属製係止装置１３６がスロット１６０内に完全に挿入される迄、係止装置の挿入キャビティの壁と干渉せずに、係止装置を挿入することを許容する。このことは、取り付ける間、金属製係止装置を直線状に保つことになる。部分的に挿入した時点にて、固定端部１３４は、取り付けスロット１６０の入口スロット１５２を介して壁１５０に貫入する一方、少なくとも１つの曲がった突き出しタング１３２は、依然として壁部分１５０の上方で挿入キャビティ１８０内に配置されている。すなわち、曲がったタング１３２は、挿入を妨げずに、金属製係止装置を整合させ得るように逃がし部１８２に受け入れられている。更に挿入したとき、少なくとも１つの曲がったタング１３２は、図示するように、取り付けスロット１６０まで壁１５０を通じて押し込まれ、内側支持面１６２は変位状態となる（すなわち、右方向に押された状態となる）。十分に挿入した後、曲がったタング１３２は、図１９及び図２０に図示するように、実質的に取り付けスロット１６０内に入った状態、好ましくは、完全に入った状態となる。この形態のため、幾つかの要素は、金属製係止装置を取り付けスロット１６０内に強固に保持するのに役立つ。第一に、押し込まれた内側支持面１６２は、係止装置１３６を外側支持面１６４に向けて偏倚させる作用を果たす。すなわち、内側支持面１６２は、その当初の位置に戻ろうとして弾性的に弛緩する。更に、曲がったタング１３２の形状は、外方に突き出すギザギザ端縁のため、かなり小さい挿入抵抗力を可能にする一方、タング１３２は内側支持面１６２からの偏倚力のため外側支持面１６４に喰込む傾向となる。図２０に図示するように、金属製係止装置を方向Ｔに向けてスロット１６０から外す作用を果たす力は、曲がったタング１３２の鋭角なギザギザ端縁が外側支持面１６４及び保持棚状突起１５４に対し喰込み係合することによる抵抗を受ける。
【００２５】
ケーブルヘッド１０２を完全に貫通して外面まで伸びる開口部を有する取り付けスロット１６０を示す図２１乃至図２３には、第二の実施の形態の追加の図が図示されている。開口部は、製造上の理由のため設けることができ、この開口部は、係止装置１３６の横幅よりも小さくなければならない。金属製係止装置の曲がったタング１３２は、任意の既知の方法又はその後に開発された方法により形成することができる。しかし、好ましい第一の実施の形態に対する曲がったタング１３２（図１０乃至図１３）を形成するための一例としての２つの方法が図２４乃至図３５に図示されている。図２４において、金属製係止装置１３６は、プレス成形ダイ３００内に配置され且つプレス成形ラム３５０による作用を受ける。図示するように、固定端部１３４は曲がったタング１３２の所望の位置に相応する所定の距離だけダイ３００を張出させる。選ばれた要素１３６の材料及び寸法に依存して、適宜なプレス成形圧力にてラム３５０をダイ３００に加圧し、その後に、ダイを開放すると、図２８に図示するように所望の曲がったタング１３２を有する金属製係止装置１３６を形成することができる。曲がったタング１３２は図２９の詳細図により明確に図示されている。図示した一例としての曲がったタングを形成するため、プレス成形ラム３５０の下面には逆Ｖ字形の成形面が設けられている。しかし、これはタング構造体の単に一例にしか過ぎない。その他の適宜なタングの構造体とすることが考えられる。
【００２６】
一度び曲がったタングが形成されたならば、その主題事項の全体を参考として引用し本明細書に含めた、同時出願係属中の米国特許出願第（弁護士事件番号第ＬＣＢ３３９号）に記載された方法等により金属製係止装置１３６を適宜に曲げ且つ角度付きの形状に曲げて自由端部が固定端部に対し角度が付けられるようにする。これと代替的に、金属製係止装置を角度付きの形状に曲げた後に曲がったタングを形成してもよい。
【００２７】
１つの代替的な実施の形態には、図３０乃至図３５に図示するように、ダイ３００を超えて伸びる金属製係止装置１３６の張出し部分を支持する支持ベース４００が更に設けられている。この実施の形態において、固定端部１３４はプレス成形する間、自由に浮動せず、その代わりベース４００によって支持されている。曲がったタング１３２を形成することを可能にするため、支持ベース４００には支持面４０２及び２つのタングの挿入キャビティ４０４が設けられている。プレス成形する間、支持面４０２は金属製係止装置１３６の張出し部分を支持している。しかし、キャビティ４０４はタング１３２を形成することを許容する。
【００２８】
上記の実施の形態の何れの場合でも、係止装置をケーブルタイヘッドに対し定着する有益な点が実現可能である。少なくとも１つのタングは、特に、最初の締め付け後、ケーブルタイを再挿入する手順の間、ケーブルタイの破損を防止するため金属製係止装置の引出しに対する更なる抵抗力を提供する。少なくとも１つのタングはまた、直線状の係止装置の固定端部及び摩擦嵌めを利用する従来のシステムよりもアンカーに必要とされる深さが浅くて済む。これと代替的に、単一のプレス成形ラムに代えて、２つのプレス成形ラムを提供し、そのラムの各々が２つの曲がったタング１３２の一方を形成するようにしてもよい。かかる場合、ラムの各々が金属製係止装置の面に対して鋭角な角度で角度を付けた加工面を備えるようにすることができる。
【００２９】
上記に概説した特定の実施の形態に関して本発明のシステムを説明したが、当該技術分野の当業者には多くの代替例、改変例及び変更が可能であることが明らかである。従って、これらの一例としての実施の形態は、説明のためであり、非限定的なものであることを意図するものである。本発明の精神及び範囲から逸脱せずに色々な変更を加えることができる。
【図面の簡単な説明】
【図１】関連発明によるケーブルタイストラップを最初に挿入する状態を示す断面図である。
【図２】係止作業を行った後のケーブルタイストラップを示す図１のケーブルタイの断面図である。
【図３】再挿入作業後のケーブルタイストラップを示す図１のケーブルタイの断面図である。
【図４】本発明によるケーブルタイの下方斜視図である。
【図５】図４のケーブルタイの底面図である。
【図６】本発明によるケーブルタイの部分頂面図である。
【図７】部分的に取り付けた金属製係止装置を示す、第一の実施の形態による線７−７に沿った図６のケーブルタイの断面図である。
【図８】図７の拡大部分図である。
【図９】第一の実施の形態による完全に取り付けた金属製係止装置の断面図である。
【図１０】本発明の第一の実施の形態による金属製係止装置の斜視図である。
【図１１】図１０の金属製係止装置の頂面図である。
【図１２】図１０の金属製係止装置の別の斜視図である。
【図１３】図１０の金属製係止装置の側面図である。
【図１４】本発明による金属製係止装置の第二の実施の形態の頂面図である。
【図１５】図１４の金属製係止装置の側面図である。
【図１６】本発明の第二の実施の形態によるケーブルタイの部分頂面図である。
【図１７】部分的に取り付けた金属製係止装置を示す線１７−１７に沿った図１６のケーブルタイの断面図である。
【図１８】図１７の拡大部分図である。
【図１９】金属製係止装置が完全に取り付けられた図１７のケーブルタイを示す断面図である。
【図２０】図１９の拡大部分図である。
【図２１】線２１−２１に沿った図１９のケーブルタイの断面図である。
【図２２】第二の実施の形態によるケーブルタイの底面図である。
【図２３】図２２のケーブルタイの部分斜視図である。
【図２４】ポンチが係止装置に作用する前に図１０乃至図１３の金属製係止装置を形成するために使用されるダイ及びポンチの斜視図である。
【図２５】係止装置と係合した図２４のポンチの頂面図である。
【図２６】係止装置と係合した図２４のポンチの正面断面図である。
【図２７】係止装置と係合した図２４のポンチの右側面断面図である。
【図２８】ポンチが係止装置に作用した後の図２４のポンチ及びダイの斜視図である。
【図２９】形成された曲がったタングを示す図２８のダイの詳細図である。
【図３０】追加的な支持ベースを有する１つの代替的なダイ及びポンチの斜視図である。
【図３１】係止装置と係合した状態で示す図３０のポンチの頂面図である。
【図３２】係止装置と係合した状態で示す図３０のポンチの正面断面図である。
【図３３】係止装置と係合した状態で示す図３０のポンチの右側面断面図である。
【図３４】ポンチが係止装置に作用した後の図３０のポンチ及びダイの斜視図である。
【図３５】ポンチが係止装置に作用した後の図３０のダイの正面立面図である。
【符号の説明】
１００  ケーブルタイ              １０２  ケーブルタイヘッド
１０４  ストラップ                １１０  中央溝
１１２  ストラップの前端部        １２０  Ｖ字形溝
１２２  ストラップ挿入通路        １２４  端部壁
１３０  取り付けスロット／支持キャビティ
１３２  タング                    １３４  係止装置の一端部／固定端部
１３６  金属製係止装置            １３８  自由端部
１４２  支点                      １５０  壁部分
１５２  入口スロット              １５４  棚状突起
１６０  取り付けスロット          １６２  内側支持面
１６４  外側支持面／外面          １６６  ストラップ出口／出口端部
１６８  ストラップ入口／入口端部  １８０  ストラップの挿入キャビティ
１８２  逃し部（凹状壁）          １８４  壁部分
３００  プレス成形ダイ            ３５０  プレス成形ラム
４００  支持ベース                ４０２  支持面
４０４  タングの挿入キャビティ
【図１】
0004083465.tif 000002
【図２】
0004083465.tif 000003
【図３】
0004083465.tif 000004
【図４】
0004083465.tif 000005
【図５】
0004083465.tif 000006
【図６】
0004083465.tif 000007
【図７】
0004083465.tif 000008
【図８】
0004083465.tif 000009
【図９】
0004083465.tif 000010
【図１０】
0004083465.tif 000011
【図１１】
0004083465.tif 000012
【図１２】
0004083465.tif 000013
【図１３】
0004083465.tif 000014
【図１４】
0004083465.tif 000015
【図１５】
0004083465.tif 000016
【図１６】
0004083465.tif 000017
【図１７】
0004083465.tif 000018
【図１８】
0004083465.tif 000019
【図１９】
0004083465.tif 000020
【図２０】
0004083465.tif 000021
【図２１】
0004083465.tif 000022
【図２２】
0004083465.tif 000023
【図２３】
0004083465.tif 000024
【図２４】
0004083465.tif 000025
【図２５】
0004083465.tif 000026
【図２６】
0004083465.tif 000027
【図２７】
0004083465.tif 000028
【図２８】
0004083465.tif 000029
【図２９】
0004083465.tif 000030
【図３０】
0004083465.tif 000031
【図３１】
0004083465.tif 000032
【図３２】
0004083465.tif 000033
【図３３】
0004083465.tif 000034
【図３４】
0004083465.tif 000035
【図３５】
0004083465.tif 000036